【手続補正書】
【提出日】平成20年8月5日(2008.8.5)
【手続補正１】
【補正対象書類名】特許請求の範囲
【補正対象項目名】全文
【補正方法】変更
【補正の内容】
【特許請求の範囲】
【請求項１】
センサを走査することで画像原稿を読取る読取手段と前記読取手段によって読取られた画像の画像データに基づいて記録媒体に記録を行う記録手段とを備え、前記画像の複写を行うことが可能な画像記録装置であって、
縁なし複写を指示する縁なし複写指示手段と、
前記記録媒体のサイズを指示するサイズ指示手段と、
前記読取手段の原稿載置台に載置された原稿のサイズを検出する検出手段と、
前記縁なし複写指示手段と前記サイズ指示手段による指示と前記検出手段による検出結果と所定の縁なしはみ出し量とに基づいて、前記原稿載置台上の読取開始位置と読取サイズとからなる読取領域を決定する第１決定手段と、
前記第１の決定手段によって決定された読取領域から前記画像原稿の画像を読取るように、前記読取開始位置と前記読取サイズとに従って前記センサの動作範囲を限定して画像読取を行うように前記読取手段を制御する読取制御手段とを有することを特徴とする画像記録装置。
【請求項２】
前記縁なし複写指示手段と前記サイズ指示手段とによる指示に従って、前記記録媒体への記録のために前記記録手段によって記録される画像のサイズを決定する第２決定手段と、
前記読取制御手段による制御により読取られた画像の画像データに基づいて、前記第２決定手段によって決定されたサイズの画像を記録媒体に記録するよう前記記録手段を制御する記録制御手段とをさらに有することを特徴とする請求項１に記載の画像記録装置。
【請求項３】
前記縁なし複写指示手段によって指示される縁なし複写には、自動変倍複写のモードが含まれることを特徴とする請求項１又は２に記載の画像記録装置。
【請求項４】
前記検出手段は、前記自動変倍複写の指示がなされた場合に、前記読取手段を動作させ前記センサにより実際の画像読取を行う解像度より低い解像度で走査することにより、前記原稿載置台に載置された原稿の位置とサイズとを自動的に検出する自動検出手段を含むことを特徴とする請求項３に記載の画像記録装置。
【請求項５】
前記自動検出手段により検出された原稿の位置とサイズと、前記サイズ指示手段により指示された前記記録媒体のサイズと、前記所定の縁なしはみ出し量とに基づいて、前記読取手段によって読取された画像の拡大率を自動的に決定する拡大率自動決定手段をさらに有することを特徴とする請求項４に記載の画像記録装置。
【請求項６】
前記所定の縁なしはみ出し量は、前記記録媒体の上下左右夫々に対して設定されることを特徴とする請求項５に記載の画像記録装置。
【請求項７】
前記所定の縁なしはみ出し量が前記記録媒体の上下及び左右に対して均等ではない場合に、前記画像原稿の中心と前記記録媒体に記録される画像中心をそろうよう画像の読取範囲を自動的にオフセットする自動オフセット手段をさらに有することを特徴とする請求項６に記載の画像記録装置。
【請求項８】
前記読取手段によって読取された画像の画像データを拡大／縮小する拡大／縮小手段とをさらに有することを特徴とする請求項１乃至７のいずれか１項に記載の画像記録装置。
【請求項９】
前記読取制御手段は、前記第１の決定手段によって決定された読取領域まで前記センサを高速移動させるよう制御することを特徴とする請求項１乃至８のいずれか１項に記載の画像記録装置。
【請求項１０】
前記記録手段はインクジェット記録ヘッドにより前記記録媒体に記録を行うことを特徴とする請求項１乃至９のいずれか１項に記載の画像記録装置。
【請求項１１】
センサを走査することで画像原稿を読取る読取手段と前記読取手段によって読取られた画像の画像データに基づいて記録媒体に記録を行う記録手段とを備え、前記画像の複写を行うことが可能な画像記録装置の制御方法であって、
縁なし複写を指示する第１指示工程と、
前記記録媒体のサイズを指示する第２指示工程と、
前記読取手段の原稿載置台に載置された原稿のサイズを検出する検出工程と、
前記第１及び第２指示工程における指示と前記検出工程における検出結果と所定の縁なしはみ出し量とに基づいて、前記原稿載置台上の読取開始位置と読取サイズとからなる読取領域を決定する決定工程と、
前記決定工程において決定された読取領域から前記画像原稿の画像を読取るように、前記読取開始位置と前記読取サイズとに従って前記センサの動作範囲を限定して画像読取を行うように前記読取手段を制御する制御工程とを有することを特徴とする画像記録装置の制御方法。
【手続補正２】
【補正対象書類名】明細書
【補正対象項目名】００２０
【補正方法】変更
【補正の内容】
【００２０】
即ち、センサを走査することで画像原稿を読取る読取手段と前記読取手段によって読取られた画像の画像データに基づいて記録媒体に記録を行う記録手段とを備え、前記画像の複写を行うことが可能な画像記録装置であって、縁なし複写を指示する縁なし複写指示手段と、前記記録媒体のサイズを指示するサイズ指示手段と、前記読取手段の原稿載置台に載置された原稿のサイズを検出する検出手段と、前記縁なし複写指示手段と前記サイズ指示手段による指示と前記検出手段による検出結果と所定の縁なしはみ出し量とに基づいて、前記原稿載置台上の読取開始位置と読取サイズとからなる読取領域を決定する第１決定手段と、前記第１の決定手段によって決定された読取領域から前記画像原稿の画像を読取るように、前記読取開始位置と前記読取サイズとに従って前記センサの動作範囲を限定して画像読取を行うように前記読取手段を制御する読取制御手段とを有することを特徴とする。
【手続補正３】
【補正対象書類名】明細書
【補正対象項目名】００２１
【補正方法】変更
【補正の内容】
【００２１】
この装置はさらに、前記縁なし複写指示手段と前記サイズ指示手段とによる指示に従って、前記記録媒体への記録のために前記記録手段によって記録される画像のサイズを決定する第２決定手段と、前記読取制御手段による制御により読取られた画像の画像データに基づいて、前記第２決定手段によって決定されたサイズの画像を記録媒体に記録するよう前記記録手段を制御する記録制御手段とを備えることが望ましい。
【手続補正４】
【補正対象書類名】明細書
【補正対象項目名】００２２
【補正方法】変更
【補正の内容】
【００２２】
また、前記縁なし複写指示手段によって指示される縁なし複写には、自動変倍複写のモードが含まれる。
【手続補正５】
【補正対象書類名】明細書
【補正対象項目名】００２９
【補正方法】変更
【補正の内容】
【００２９】
また他の発明によれば、センサを走査することで画像原稿を読取る読取手段と前記読取手段によって読取られた画像の画像データに基づいて記録媒体に記録を行う記録手段とを備え、前記画像の複写を行うことが可能な画像記録装置の制御方法であって、縁なし複写を指示する第１指示工程と、前記記録媒体のサイズを指示する第２指示工程と、前記読取手段の原稿載置台に載置された原稿のサイズを検出する検出工程と、前記第１及び第２指示工程における指示と前記検出工程における検出結果と所定の縁なしはみ出し量とに基づいて、前記原稿載置台上の読取開始位置と読取サイズとからなる読取領域を決定する決定工程と、前記決定工程において決定された読取領域から前記画像原稿の画像を読取るように、前記読取開始位置と前記読取サイズとに従って前記センサの動作範囲を限定して画像読取を行うように前記読取手段を制御する制御工程とを有することを特徴とする画像記録装置の制御方法を備える。